(57)【要約】【課題】  絶縁トロリー線を絶縁分割した箇所において集電子のガイド手段への衝突を防止する。集電子や集電アームの破損やガイド手段や絶縁トロリー線からの脱線を防止する。【解決手段】  両側の絶縁トロリー線１の端部同士を電気的に絶縁状態で互いに機械的に接続し且つ両絶縁トロリー線１の端部間において集電子２の移動をガイドするようにした絶縁トロリー用回路分割部材３である。絶縁トロリー用回路分割部材３が、両側の絶縁トロリー線１をそれぞれ絶縁状態で機械的に支持し且つ集電子２の移動をガイドするための２つのガイド手段４と、一方のガイド手段４から他方のガイド手段４に集電子２が一直線状に移動できるように２つのガイド手段４相互の位置関係を規定する位置規定手段５を備えている。【選択図】        図１
2008097938.tif 000002
【特許請求の範囲】
【請求項１】
移動機器に移動しながら電気を供給する絶縁トロリーシステムにおいて、両側の絶縁トロリー線の端部同士を電気的に絶縁状態で互いに機械的に接続し且つ両絶縁トロリー線の端部間において集電子の移動をガイドするようにした絶縁トロリー用回路分割部材であって、該絶縁トロリー用回路分割部材が、両側の絶縁トロリー線をそれぞれ絶縁状態で機械的に支持し且つ集電子の移動をガイドするための２つのガイド手段と、一方のガイド手段から他方のガイド手段に集電子が一直線状に移動できるように２つのガイド手段相互の位置関係を規定する位置規定手段を備えていることを特徴とする絶縁トロリー用回路分割部材。
【請求項２】
２つのガイド手段の対向端部間に隙間が形成してあることを特徴とする請求項１記載の絶縁トロリー用回路分割部材。
【請求項３】
２つの別体のガイド手段を、別体の位置規定手段に取付けて２つの別体のガイド手段相互の位置関係を規定してあることを特徴とする請求項１又は請求項２記載の絶縁トロリー用回路分割部材。
【請求項４】
２つのガイド手段の対向端部が対向方向の先端側程開口巾が広くなる傾斜面となっていることを特徴とする請求項１乃至請求項３のいずれか一項に記載の絶縁トロリー用回路分割部材。
【発明の詳細な説明】
【技術分野】
【０００１】
本発明は、ホイストや搬送機等の移動機器に移動しながら電気を供給する絶縁トロリーシステムに用いる絶縁トロリー用回路分割部材に関するものである。
【背景技術】
【０００２】
従来からホイストや搬送機等の移動機器に移動しながら電気を供給する絶縁トロリーシステムが知られている。この絶縁トロリーシステムにおいて、多数の移動機器の利用による電源ラインの容量不足に対応するために、給電ラインを複数の分割された絶縁トロリー線で構成することで給電ラインの回路分割を行うことが行われている。例えば、給電ラインが９０Ａの１回路の絶縁トロリー線で形成してある場合、この９０Ａの１回路の絶縁トロリー線に対して３０Ａの移動機器は３台までしか対応できないが、給電ラインを回路分割して、回路分割された複数の９０Ａの絶縁トロリー線で給電ラインを形成した場合、分割された９０Ａの絶縁トロリー線毎にそれぞれ３０Ａの移動機器が３台対応でき、給電ラインにおける使用できる移動機器の数量（負荷容量）を増やすことができる。
【０００３】
このような給電ラインの回路分割を行うには、分割された各絶縁トロリー線の端部を絶縁すると共に分割された絶縁トロリー線の端部間において集電アームの先端に設けた集電子の移動をガイドするガイド手段を設ける必要がある。分割された絶縁トロリー線の端部にガイド手段を設けた例として特許文献１が知られている。
【０００４】
この特許文献１に示された従来例は、分割した絶縁トロリー線の端部にガイド手段を構成する絶縁性を有するガイドキャップを取付け、２個の絶縁性を有するガイドキャップを互いに対向するように間隔を隔て、又は当接するように施工していた。
【０００５】
このため、従来にあっては、施工誤差により対向する２個のガイドキャップの相互の位置関係が上下方向、前後方向、左右方向にばらついてずれが生じ、集電子が一方の絶縁トロリー線の端部に取付けたガイドキャップから、他方の絶縁トロリー線の端部に取付けたガイドキャップに移動する際、上記施工誤差で生じた段差により集電子がガイドキャップに衝突し、集電子や集電アームが破損したり、あるいは、集電子の繰り返し通過によるガイドキャップの磨耗が発生したり、あるいは集電子がガイドキャップや絶縁トロリー線から脱線したりするおそれがあった。
【特許文献１】特開平５−５４９４４号公報
【発明の開示】
【発明が解決しようとする課題】
【０００６】
本発明は上記の従来の問題点に鑑みて発明したものであって、絶縁トロリー線を絶縁分割した箇所において集電子のガイド手段への衝突を防止し、集電子や集電アームの破損やガイド手段や絶縁トロリー線からの脱線を防止することができ、また、集電子の繰り返し通過によるガイド手段の磨耗低減効果がある絶縁トロリー用回路分割部材を提供することを課題とするものである。
【課題を解決するための手段】
【０００７】
上記課題を解決するために本発明に係る絶縁トロリー用回路分割部材は、移動機器に移動しながら電気を供給する絶縁トロリーシステムにおいて、両側の絶縁トロリー線１の端部同士を電気的に絶縁状態で互いに機械的に接続し且つ両絶縁トロリー線１の端部間において集電子２の移動をガイドするようにした絶縁トロリー用回路分割部材３であって、該絶縁トロリー用回路分割部材３が、両側の絶縁トロリー線１をそれぞれ絶縁状態で機械的に支持し且つ集電子２の移動をガイドするための２つのガイド手段４と、一方のガイド手段４から他方のガイド手段４に集電子２が一直線状に移動できるように２つのガイド手段４相互の位置関係を規定する位置規定手段５を備えていることを特徴とするものである。
【０００８】
このような構成とすることで、位置規定手段５により相互の位置関係が規定された２つのガイド手段４に両側の絶縁トロリー線１の端部を機械的に支持させることで、両側の絶縁トロリー線１の端部の絶縁ができるだけでなく、２つのガイド手段４の位置ずれを無くして、集電子２が一方のガイド手段４から他方のガイド手段４に一直線状にスムーズに移動でき、集電子２がガイド手段４に衝突するのを防止し、また、２個のガイド手段４に段差が生じることで一方のガイド手段４により強く集電子が接触して一方のガイド手段４がより強く磨耗するというようなことを回避できる。
【０００９】
また、２つのガイド手段４の対向端部間に隙間６が形成してあることが好ましい。
【００１０】
このような構成とすることで、集電子２の磨耗粉をガイド手段４の対向端部間の隙間６から排出することができる。
【００１１】
また、２つの別体のガイド手段４を、別体の位置規定手段５に取付けて２つの別体のガイド手段４相互の位置関係を規定してあることが好ましい。
【００１２】
このような構成とすることで、ガイド手段４として従来から使用されているガイドキャップのようなものを使用することができる。
【００１３】
また、２つのガイド手段４の対向端部が対向方向の先端側程開口巾が広くなる傾斜面７となっていることが好ましい。
【００１４】
このような構成とすることで、一方のガイド手段４から他方のガイド手段４に集電子２が移動する際に傾斜面７に案内されてスムーズに移動できる。
【発明の効果】
【００１５】
本発明の請求項１記載の発明は、一方のガイド手段から他方のガイド手段に集電子が一直線状に移動できるように２つのガイド手段相互の位置関係を規定する位置規定手段を備えているので、２つの絶縁性を有するガイド手段相互の位置関係が正確に規定されて両者の位置ずれがなく、集電子をスムーズに走行させることができて集電子がガイド手段に衝突することによる集電子や集電アームの損傷を防止すると共に、ガイド手段や絶縁トロリー線からの脱線を防止することができ、また、両ガイド手段に段差が生じて一方側に強く集電子が摺接するというようなことがなくてガイド手段の磨耗を防止できる。
【００１６】
また、請求項２記載の発明にあっては、上記請求項１記載の発明の効果に加えて、２つのガイド手段の対向端部間に隙間を形成してあるので、集電子の磨耗粉を隙間から排出できて磨耗粉が絶縁性を有するガイド手段に堆積することによる絶縁性の劣化を防止することができる。
【００１７】
また、請求項３記載の発明にあっては、上記請求項１又は請求項２記載の発明の効果に加えて、２つの別体のガイド手段を、別体の位置規定手段に取付けて２つの別体のガイド手段相互の位置関係を規定してあるので、従来から用いられている絶縁トロリー線の端部を絶縁するガイドキャップなどをガイド手段として利用することができる。
【００１８】
また、請求項４記載の発明にあっては、上記請求項１乃至請求項３のいずれか一項に記載の発明の効果に加えて、２つのガイド手段の対向端部が対向方向の先端側程開口巾が広くなる傾斜面となっているので、傾斜面に案内されて集電子がスムーズに移動できて、よりいっそうガイド手段に集電子が衝突しないようにできる。
【発明を実施するための最良の形態】
【００１９】
以下、本発明を添付図面に示す実施形態に基いて説明する。
【００２０】
絶縁トロリー線１は、ホイストや搬送機等の移動機器が移動する際に移動機器に電気を供給するための給電ラインを形成するためのもので、絶縁トロリー線１は断面コ字状をした長尺の絶縁枠体８内の長手方向の全長にわたって長尺の給電体（導体）９を内装して構成してある。
【００２１】
この絶縁トロリー線１は、通常は複数本平行に架設されており、絶縁トロリー線１は天井などの造営材に設けたハンガーに固定したり、あるいは、移動機器の移動をガイドするレールに取付けることで架設するようになっている。
【００２２】
給電ラインの回路分割を行うために給電ラインが複数の絶縁トロリー線１に分割してあり、分割した絶縁トロリー線１の端部同士が絶縁トロリー用回路分割部材３により接続してある。
【００２３】
絶縁トロリー用回路分割部材３は、分割された両側の絶縁トロリー線１をそれぞれ絶縁状態で機械的に支持し且つ集電子２の移動をガイドするための２つのガイド手段４と、一方のガイド手段４から他方のガイド手段４に集電子２が一直線状に移動できるように２つのガイド手段４相互の位置関係を規定する位置規定手段５を備えている。
【００２４】
図１、図２には絶縁トロリー用回路分割部材３の一実施形態が示してある。この図１、図２に示す実施形態では、位置規定手段５を構成する枠材のような基体１０の前面部の両側の所定位置にそれぞれガイド手段４を構成するガイドキャップ１１を設けることで絶縁トロリー用回路分割部材３を構成してある。基体１０の所定位置にはガイドキャップ１１をかしめ部材やねじ具により取付けるための取付け孔２０が設けてある。また、基体１０には造営材などに固着具により固着することができるように固着具挿入孔２１が設けてある。
【００２５】
添付図面に示す実施形態において、ガイドキャップ１１は絶縁性を有する合成樹脂又はその他の絶縁材料により形成した複数のガイドブロック１２を組み合わせることで構成してある。ガイドブロック１２には端ガイドブロック１２ａと、中間ガイドブロック１２ｂとの２種類がある。端ガイドブロック１２ａには前面の巾方向の片側に絶縁トロリー線１の端部を嵌め込むための嵌め込み用凹部１３と、該嵌め込み用凹部１３に連続するガイド用凹部１４が一直線状に形成してあり、また、端ガイドブロック１２ａには前面の巾方向の他の片側に上記嵌め込み用凹部１３の巾方向の片側半分の形状をした嵌め込み用段溝部１５と、該嵌め込み用段溝部１５に連続する上記ガイド用凹部１４の巾方向の片側半分の形状をしたガイド用段溝部１６が一直線状に形成してある。
【００２６】
また、中間ガイドブロック１２ｂには巾方向の両側にそれぞれ嵌め込み用段溝部１５と、該嵌め込み用段溝部１５に連続するガイド用段溝部１６が一直線状に形成してある。
【００２７】
そして、巾方向の両側の端ガイドブロック１２ａ間に、１乃至複数の中間ガイドブロック１２ｂを介在させるように並設した状態で図３に示す連結金具のような連結部材１７により位置決めした状態で連結一体化してあり（図３に示す実施形態では連結部材１７に前後左右に起立した位置決め辺７ａを突設し、前後左右の位置決め片７ａに囲まれた部分に嵌め込んで位置決め保持した状態でねじ具により固着してある）、これにより複数のガイドブロック１２を巾方向に連結一体化し、巾方向に隣接する２つの嵌め込み用段溝部１５により嵌め込み用凹部１３を形成すると共に、巾方向に隣接する２つのガイド用段溝部１６によりガイド用凹部１４を形成するようになっている。なお、添付図面に示す実施形態では隣接するガイドブロック１２相互の位置決めをするため互いに突合せる対向面で凹凸嵌合するように嵌合用突起や嵌合用凹溝を形成してある。
【００２８】
嵌め込み用凹部１３は絶縁トロリー線１の端部をぴったりと嵌め込んで支持することができる形状及び大きさとなっており、ガイド用凹部１４の嵌め込み用凹部１３側の端部は嵌め込み用凹部１３に絶縁トロリー線１の端部を嵌め込んだ場合に、ガイド用凹部１４の端部内面が絶縁トロリー線１の内面が連続するような形状及び大きさに形成してある。ここで、絶縁トロリー線１の絶縁枠体８の外側面には外方に突出する突出部８ａが設けてあり、嵌め込み用凹部１３の内面の両側には上記突出部８ａが嵌め込まれる側凹所１３ａが設けてあり、嵌め込み凹部１３に絶縁トロリー線１の端部を嵌め込むと、突出部８ａが側凹所１３ａに嵌めこまれて絶縁トロリー線１の端部の上下方向の位置決めがされると共に、前後方向の位置決めがされると共に嵌め込み用凹部１３から絶縁トロリー線１の前方に抜けないようになっている。また、嵌め込み用凹部１３とガイド用凹部１４の境界部分には段差部１８が設けてあって、嵌め込み用凹部１３に絶縁トロリー線１の端部を嵌め込む際、絶縁トロリー線１の先端が段差部１８に突き当たることで絶縁トロリー線の左右方向の位置決めされるようになっている。
【００２９】
ガイド用凹部１４の嵌め込み用凹部１３と反対側の端部は先端側程開口巾が広くなるように両側が傾斜面７となって略ハ字状となっている。
【００３０】
なお、中間ガイドブロック１２ｂを介在することなく、両側の端ガイドブロック１２ａ同士を巾方向に組み合わせてガイドキャップ１１を構成してもよく、この場合は３個の嵌め込み用凹部１３及びこれに連続する３個のガイド用凹部１４を有するガイドキャップ１１を構成することができる。
【００３１】
上記のような構成のガイドキャップ１１を基体１０の前面の両側の所定位置に配置して基体１０の両側に設けた取付け孔２０を両側のガイドキャップ１１に設けた孔２２（添付図面に示す実施形態では連結部材１７に設けた孔）と連通させてねじ具やかしめ部材等の固着具２３で固着したり、あるいは溶接等で固着する。ここで、基体１０の前面の所定位置に両ガイドキャップ１１を固着することで、両ガイドキャップ１１の相互の位置関係が上下方向、左右方向、前後方向の各方向において位置ずれしないように位置規定した状態で固着できる。
【００３２】
また、造営材に取付ける際に、基体１０の前面に両側のガイドキャップ１１を位置決めした状態で、２個のガイドキャップ１１の前面側から固着具を挿入して２個のガイドキャップ１１を基体１０と共に造営材に取付けるようにしてもよい。
【００３３】
上記実施形態においては、複数のガイドブロック１２を組み合わせてガイド手段４となるガイドキャップ１１を構成したが、合成樹脂その他の絶縁性材料でガイドキャップ１１を一体成形してもよい。
【００３４】
また、上記実施形態では、ガイド手段４を構成する２つのガイドキャップ１１をそれぞれ別体の位置規定手段５となる基体１０の所定位置に固着することで、２つのガイドキャップ１１の相互の位置関係が規定された絶縁トロリー用回路分割部材３を形成した例を示したが、例えば、基体１０の前面の両側の所定位置にそれぞれガイドキャップ１１が一体に形成してあるというように、２つのガイド手段４と位置規定手段５とが別体でなく一体物であってもよい。
【００３５】
上記のような構成の絶縁トロリー用回路分割部材３で給電ラインの回路を絶縁分割する部分、つまり、絶縁トロリー線１の端部間に配置して、両側の絶縁トロリー線１の端部の位置決め保持と絶縁を行うと共に、両絶縁トロリー線１間における集電子２のガイドを行うものである。
【００３６】
すなわち、両側の分割された絶縁トロリー線１の端部をそれぞれ絶縁トロリー用回路分割部材３の前面両側に設けたガイド手段４を構成するガイドキャップ１１の嵌め込み用凹部１３に嵌め込んで機械的に支持すると共に絶縁トロリー線１の端部をガイドキャップ１１で絶縁する。
【００３７】
このようにして両側の絶縁トロリー線１をそれぞれ絶縁トロリー用回路分割部材３の両側のガイドキャップ１１に嵌め込んで機械的に支持すると共に絶縁することで、図４に示すように、両側の絶縁トロリー線１の端部同士をガイドキャップ１１を介して絶縁した状態で上下方向、左右方向、前後方向に位置ずれすることなく一直線状に接続することができる。
【００３８】
集電子２はホイストや搬送機等の移動機器（図示せず）に接続された集電アーム１９の先端に設けられており、図５、図６に示すように絶縁トロリー線１内に集電子２入れた集電子２が絶縁トロリー線１内に設けた給電体９に接触することで搬送機に給電することができるようになっている。
【００３９】
搬送機は集電子２からの給電により走行し、搬送機が走行することで、集電子２が絶縁トロリー線１内を移動する。そして、上記分割した絶縁トロリー線１の端部の絶縁部分においては、一方の絶縁トロリー線１内を移動した集電子２は、該一方の絶縁トロリー線１の端部の絶縁性を有するガイドキャップ１１を通過して、他方の絶縁トロリー線１の端部の絶縁性を有するガイドキャップ１１に移動して他方の絶縁トロリー線１内に移動していく。
【００４０】
この場合、前述のように、両側の絶縁トロリー線１の端部を機械的に支持し且つ絶縁するガイド手段４である両側のガイドキャップ１１相互の位置関係が位置規定手段５により所定位置関係となるように規定してあるので、集電子２が一方のガイド手段４から他方のガイド手段４側に移行する際、集電子２が他方のガイド手段４に衝突するのを防止することができて給電ラインの絶縁分割部分で一直線状にスムーズに移動することができる。また、本発明においては、２つのガイド手段４の対向端部が対向方向の先端側程開口巾が広くなる傾斜面７となっているので、一方のガイド手段４から他方のガイド手段４に集電子２が移動する際に傾斜面７に案内されてスムーズに移動し、いっそう集電子２がガイド手段４に衝突しないようにできる。
【００４１】
したがって、集電子２がガイド手段４に衝突することによる集電子２や集電アーム１９の破損を防止することができる。また、対向する２個のガイド手段４が正確な位置関係で対向するため、２個のガイド手段４に段差が生じることがなく、このため、集電子２の両ガイド手段４への接触圧が同じになり、一方のガイド手段４側のみ強く集電子が接触して一方のガイド手段４がより強く磨耗するというようなことを回避することが可能となる。
【００４２】
ところで、２つのガイド手段４相互の位置関係を所定の関係となるように位置規定手段５により規制するに当り、絶縁性を有する両ガイド手段４の対向端部同士は当接してもよく、また、２つのガイド手段４の対向端部間に所定巾の隙間６を形成するようにしてもよい。
【００４３】
絶縁性を有する両ガイド手段４の対向端部同士は当接した場合は、両ガイド手段４が連続することで、よりいっそうスムーズに集電子２が移動できることになる。
【００４４】
また、２つのガイド手段４の対向端部間に所定巾の隙間６を形成するようにした場合は、集電子２の磨耗粉をガイド手段４の対向端部間の隙間６から排出することができる。これにより集電子２の磨耗粉が絶縁性のガイド手段４に堆積して絶縁性が劣化するのを防止することができる。
【００４５】
上記２つのガイド手段４の対向端部間に所定巾の隙間６を形成する場合、集電子２からの給電時の離線時間を低減させるため隙間６の巾を１０ｍｍ以下とするのが好ましい。
【図面の簡単な説明】
【００４６】
【図１】本発明の絶縁トロリー用回路分割部材の斜視図である。
【図２】（ａ）は同上の平面図であり、（ｂ）は正面図であり、（ｃ）は側面図であり、（ｄ）は背面図であり、（ｅ）は正面断面図であり、（ｆ）は側面断面図である。
【図３】同上に用いる連結部材の斜視図である。
【図４】同上の絶縁トロリー用回路分割部材の両側のガイド手段に絶縁トロリー線を嵌め込み接続した状態を示す斜視図である。
【図５】同上の絶縁トロリー線に集電子が嵌めこまれた状態を示す平面図である。
【図６】同上の絶縁トロリー線に集電子が嵌めこまれた状態を示す側面図である。
【符号の説明】
【００４７】
１  絶縁トロリー線
２  集電子
３  絶縁トロリー用回路分割部材
４  ガイド手段
５  位置規定手段
６  隙間
７  傾斜面
【図１】
2008097938.tif 000003
【図２】
2008097938.tif 000004
【図３】
2008097938.tif 000005
【図４】
2008097938.tif 000006
【図５】
2008097938.tif 000007
【図６】
2008097938.tif 000008